(57)【特許請求の範囲】
【請求項１】
時系列で取得された複数項目の診療データを表示させる診療データ表示制御装置であって、
前記診療データの表示期間のうちの一部の期間を非表示とするか否かを判定するための非表示判定期間長の指定を受け付ける非表示判定期間長指定受付部と、
前記非表示判定期間長が設定されている非表示判定期間長設定部と、
前記診療データが前記非表示判定期間長以上存在しない期間があるか否かを判定する判定部と、
該判定部によって前記診療データが前記非表示判定期間長以上存在しない期間があると判定された場合には、該診療データが存在しない期間の全部または一部の期間を非表示とする表示制御部とを備え、
前記表示制御部が、前記非表示とした際、該非表示前の表示期間とは異なる期間の診療データを追加して表示させるものであることを特徴とする診療データ表示制御装置。
【請求項２】
前記非表示とする期間が、少なくとも前記非表示判定期間長を含む期間である請求項１記載の診療データ表示制御装置。
【請求項３】
前記複数項目の中から前記非表示判定期間長の判定対象の項目の指定を受け付ける項目指定受付部を備え、
前記判定部が、前記非表示判定期間長の判定対象の項目の診療データが前記非表示判定期間長以上存在しない期間があるか否かを判定するものであり、
前記表示制御部が、前記非表示判定期間長の判定対象の項目の診療データが前記非表示判定期間長以上存在しない期間があると判定された場合に、前記非表示判定期間長の判定対象の項目の診療データが存在しない期間の全部または一部の期間を非表示とするものである請求項１または２記載の診療データ表示制御装置。
【請求項４】
前記表示制御部が、前記診療データが前記非表示判定期間長以上存在しない期間があると判定された場合に、前記非表示判定期間長の前または後の期間に前記診療データが存在しない場合には、前記前または後の期間も非表示にするものである請求項１から３いずれか１項記載の診療データ表示制御装置。
【請求項５】
前記表示制御部が、前記非表示とした期間を識別可能な指標を表示するものである請求項１から４いずれか１項記載の診療データ表示制御装置。
【請求項６】
前記表示制御部が、前記診療データをグラフ表示させるものである請求項１から５いずれか１項記載の診療データ表示制御装置。
【請求項７】
前記表示制御部が、前記非表示の期間の直前の診療データと前記非表示の期間内の診療データとを結ぶ線または前記非表示の期間の直後の診療データと前記非表示の期間内の診療データとを結ぶ線を残して表示するものである請求項６記載の診療データ表示制御装置。
【請求項８】
前記表示制御部が、前記診療データを数値のテキストとして表示させるものである請求項１から５いずれか１項記載の診療データ表示制御装置。
【請求項９】
時系列で取得された複数項目の診療データを表示させる診療データ表示制御装置の作動方法であって、
非表示判定期間長指定受付部が、前記診療データの表示期間のうちの一部の期間を非表示とするか否かを判定するための非表示判定期間長の指定を受け付け、
該受け付けられた非表示判定期間長が非表示判定期間長設定部に設定され、
判定部が、前記診療データが前記非表示判定期間長以上存在しない期間があるか否かを判定し、
表示制御部が、前記判定部によって前記診療データが前記非表示判定期間長以上存在しない期間があると判定された場合には、該診療データが存在しない期間の全部または一部の期間を非表示とし、かつ該非表示前の表示期間とは異なる期間の診療データを追加して表示させることを特徴とする診療データ表示制御装置の作動方法。
【請求項１０】
コンピュータを、時系列で取得された複数項目の診療データを表示させる診療データ表示制御装置として機能させる診療データ表示制御プログラムであって、
さらに前記診療データの表示期間のうちの一部の期間を非表示とするか否かを判定するための非表示判定期間長の指定を受け付ける非表示判定期間長指定受付部と、
前記非表示判定期間長が設定されている非表示判定期間長設定部と、
前記診療データが前記非表示判定期間長以上存在しない期間があるか否かを判定する判定部と、
該判定部によって前記診療データが前記非表示判定期間長以上存在しない期間があると判定された場合には、該診療データが存在しない期間の全部または一部の期間を非表示とする表示制御部として機能させ、
前記表示制御部が、前記非表示とした際、該非表示前の表示期間とは異なる期間の診療データを追加して表示させることを特徴とする診療データ表示制御プログラム。
【発明の詳細な説明】
【技術分野】
【０００１】
本発明は、時系列に取得された複数の項目の診療データを表示させる診療データ表示制御装置および方法並びにプログラムに関するものである。
【背景技術】
【０００２】
近年、医師によって診療が行われる際、患者に対して実施された複数の検査結果などの診療データをディスプレイに表示させ、病名の診断や治療方針などを決定するための参考情報として利用されている。
【０００３】
患者に実施される検査には様々な種類があり、実際の医療現場では、患者に特定の疾患が疑われるときには、その特定の疾患の診断に重要と考えられている複数の検査の各診療データを参照して、診断または治療を行っている。
【０００４】
しかしながら、患者に対して実施される検査項目が多数に亘る場合があり、このような場合、診療データを参照する際に、表示される項目数が多すぎて全ての項目の診療データが表示されるまでに長い時間を要したり、また、診療データを参照しづらいという問題がある。
【０００５】
特に、入院患者の体温や血圧などの看護情報は検査回数も多いため、診療データの数が非常多く、表示画面が看護情報であふれてしまい、看護情報以外の項目の診療データが観察しづらい問題がある。
【０００６】
そこで、特許文献１から特許文献３などにおいては、表示させる検査項目の選択を受け付け、その選択された検査項目の診療データのみ表示させる方法が提案されている。
【先行技術文献】
【特許文献】
【０００７】
【特許文献１】特開２００４−２４８７９３号公報
【特許文献２】特開平２−１１１２９号公報
【特許文献３】特開２００４−７８３１０号公報
【発明の概要】
【発明が解決しようとする課題】
【０００８】
しかしながら、たとえば、表示画面を見易くするため、上述したような体温や血圧などの看護情報以外の検査項目を選択し、その選択した検査項目の診療データのみを表示させるようにしたのでは、選択されなかった看護情報の診療データを同時に観察することができないため、診断に看護情報も必要な場合には適切な表示ではない。
【０００９】
また、看護情報の項目とそれ以外の項目との両方を選択することも考えられるが、この場合、看護情報の項目の検査頻度に対してそれ以外の項目の検査頻度が非常に少ない場合には、診療データを表示可能な期間は画面の制約上限りがあるため、看護情報以外の項目の診療データを十分な数だけ表示させることができない。
【００１０】
また、注目する検査項目の診療データをどの程度の数または期間まで観察したいかは、疾患や検査項目の種類、医師などのユーザの判断によって異なるものであり、これらに柔軟に対応して注目する検査項目の診療データを効率よく表示することが望まれる。たとえば、注目する検査項目の診療データをできるだけ多く観察したい場合もあれば、看護情報などの検査頻度の多い診療データもある程度の連続した期間で観察したい場合もある。
【００１１】
本発明は、上記事情に鑑み、体温や血圧などの比較的検査頻度の多い検査項目や、それ以外の検査頻度の少ない検査項目の診療データを十分な数だけ表示させることができ、また、注目する検査項目の診療データの数や表示期間を柔軟に設定することができる診療データ表示制御装置および方法並びにプログラムを提供することを目的とするものである。
【課題を解決するための手段】
【００１２】
本発明の診療データ表示制御装置は、時系列で取得された複数項目の診療データを表示させる診療データ表示制御装置であって、診療データの表示期間のうちの一部の期間を非表示とするか否かを判定するための非表示判定期間長が設定されている非表示判定期間長設定部と、診療データが非表示判定期間長以上存在しない期間があるか否かを判定する判定部と、判定部によって診療データが非表示判定期間長以上存在しない期間があると判定された場合には、その診療データが存在しない期間の全部または一部の期間を非表示とする表示制御部とを備えたことを特徴とする。
【００１３】
また、上記本発明の診療データ表示制御装置においては、非表示とする期間を、少なくとも非表示判定期間長を含む期間とできる。
【００１４】
また、複数項目の中から非表示判定期間長の判定対象の項目の指定を受け付ける項目指定受付部を設け、判定部を、非表示判定期間長の判定対象の項目の診療データが非表示判定期間長以上存在しない期間があるか否かを判定するものとし、表示制御部を、非表示判定期間長の判定対象の項目の診療データが非表示判定期間長以上存在しない期間があると判定された場合に、非表示判定期間長の判定対象の項目の診療データが存在しない期間の全部または一部の期間を非表示とするものとできる。
【００１５】
また、非表示判定期間長の指定を受け付ける非表示判定期間長指定受付部を備えたものとできる。
【００１６】
また、非表示判定期間長を予め設定されたものとしてもよい。
【００１７】
また、表示制御部を、診療データが非表示判定期間長以上存在しない期間があると判定された場合に、非表示判定期間長の前または後の期間に診療データが存在しない場合には、前または後の期間も非表示にするものとできる。
【００１８】
また、表示制御部を、非表示とした期間を識別可能な指標を表示するものとできる。
【００１９】
また、表示制御部を、診療データをグラフ表示させるものとできる。
【００２０】
また、表示制御部を、非表示の期間の直前の診療データと非表示の期間内の診療データとを結ぶ線または非表示の期間の直後の診療データと非表示の期間内の診療データとを結ぶ線を残して表示するものとできる。
【００２１】
また、表示制御部を、診療データを数値のテキストとして表示させるものとできる。
【００２２】
また、表示制御部を、非表示とした際、その非表示前の表示期間とは異なる期間の診療データを追加して表示させるものとできる。
【００２３】
本発明の診療データ表示制御方法は、時系列で取得された複数項目の診療データを表示させる診療データ表示制御方法であって、診療データの表示期間のうちの一部の期間を非表示とするか否かを判定するための非表示判定期間長が設定され、診療データが非表示判定期間長以上存在しない期間があるか否かを判定し、診療データが非表示判定期間長以上存在しない期間があると判定された場合には、その診療データが存在しない期間の全部または一部の期間を非表示とすることを特徴とする。
【００２４】
本発明の診療データ表示制御プログラムは、コンピュータを、時系列で取得された複数項目の診療データを表示させる診療データ表示制御装置として機能させる診療データ表示制御プログラムであって、コンピュータを、診療データの表示期間のうちの一部の期間を非表示とするか否かを判定するための非表示判定期間長が設定されている非表示判定期間長設定部と、診療データが非表示判定期間長以上存在しない期間があるか否かを判定する判定部と、判定部によって診療データが非表示判定期間長以上存在しない期間があると判定された場合には、その診療データが存在しない期間の全部または一部の期間を非表示とする表示制御部として機能させることを特徴とする。
【発明の効果】
【００２５】
本発明の診療データ表示制御装置および方法並びにプログラムによれば、診療データの表示期間のうちの一部の期間を非表示とするか否かを判定するための非表示判定期間長を設定し、診療データが非表示判定期間長以上存在しない期間があるか否かを判定し、診療データが非表示判定期間長以上存在しない期間があると判定された場合には、その診療データが存在しない期間のうち全部または一部の期間を非表示とするようにしたので、たとえば検査頻度の少ない検査項目の診療データについても、診療データが存在しない期間を非表示とするによってその非表示分だけ多くの数の診療データを表示させることができる。
【００２６】
また、検査頻度の多い検査項目についても、非表示の期間以外の期間に表示させることができるので、検査頻度の多い検査項目の診療データと検査頻度の少ない検査項目の診療データとを同時に表示させることができ、これらに基づいて効率の良い診断を行うことができる。
【００２７】
また、ユーザが、疾患や注目する検査項目の種類などに応じて非表示判定期間長を設定することができるので、非表示とする期間を任意に設定することができ、これにより注目する検査項目の診療データの数や表示期間を柔軟に設定して表示させることができるので、診療データを効率よく観察することができる。
【図面の簡単な説明】
【００２８】
【図１】本発明の診療データ表示制御装置の一実施形態を用いた診療情報表示システムの概略構成を示すブロック図
【図２】グラフ表示モードにおける診療情報表示画面の一例を示す図
【図３】図１に示す診療情報表示システムの作用を説明するためのフローチャート
【図４】体温、血圧（上）、血圧（下）および検査Ａ〜Ｃの診療データをグラフ表示した例を示す図
【図５】図４に示すグラフの一部の期間を非表示とした例を示す図
【図６】図４に示すグラフの一部の期間を非表示とした例を示す図
【図７】数値表示モードにおける診療情報表示画面の一例を示す図
【図８】体温、血圧（上）、血圧（下）および検査Ａ〜Ｃの診療データを数値表示した例を示す図
【図９】図８に示す数値表示の一部の期間を非表示とした例を示す図
【発明を実施するための形態】
【００２９】
以下、本発明の診療データ表示制御装置および方法並びにプログラムの一実施形態を用いた診療情報表示システムについて、図面を参照しながら詳細に説明する。図１は、本実施形態の診療情報表示システム１の概略構成を示すブロック図である。
【００３０】
本実施形態の診療情報表示システム１は、図１に示すように、診療情報表示制御装置１０と、診療科端末２０と、電子カルテシステム３０と、検査部門システム４０と、画像診断システム５０とを備えている。
【００３１】
診療情報表示システム１における診療情報表示制御装置１０と、診療科端末２０と、各システム３０〜５０とは、たとえば有線または無線ＬＡＮや、インターネット回線などのネットワークを介して接続されている。
【００３２】
まず、診療情報表示制御装置１０について説明する。なお、本実施形態においては、診療情報表示制御装置１０が本発明の診療データ表示制御装置に相当するものである。
【００３３】
診療情報表示制御装置１０は、診療科端末２０において入力された患者の識別情報を受け付け、その患者に関する診療情報を電子カルテシステム３０、検査部門システム４０および画像診断システム５０からそれぞれ収集し、その収集した情報を統合した診療情報表示画面を生成して診療科端末２０に表示させるものである。
【００３４】
具体的には、診療情報表示制御装置１０は、図１に示すように、診療情報取得部１１と、診療情報記憶部１２と、判定部１３と、非表示判定期間長設定部１４と、表示制御部１５とを備えている。
【００３５】
診療情報表示制御装置１０は、コンピュータに本発明の診療データ表示制御プログラムの一実施形態を含む診療情報表示制御プログラムをインストールしたものである。そして、中央処理装置（ＣＰＵ）によって上記診療情報表示制御プログラムが実行されることによって上述した診療情報取得部１１と、判定部１３と、非表示判定期間長設定部１４と、表示制御部１５とが機能する。上記診療情報表示制御プログラムは、ＣＤ−ＲＯＭなどの記録媒体に記録されたものでもよいし、インターネットを経由してサーバなどからダウンロードしたものでもよい。
【００３６】
診療情報取得部１１は、診療科端末２０において入力された患者の識別情報に基づいて、その患者の識別情報に紐付けされた診療情報をネットワークを介して上記システムの各サーバから取得するものである。診療情報としては、その患者の名前や年齢や性別などといった基本情報や、投薬量、点滴量、検体検査データおよびバイタルなどの種々の診療データや、放射線画像や超音波画像などの画像診療情報などがある。なお、診療データとしては、患者の診療に関連する数値や数値以外のテキスト（文字列）で表されるデータであれば如何なるものでもよい。なお、以降の説明では、数値で表される診療データを中心に説明するが、診療データは、上述したように数値で表されるもの限らず、数値以外のテキストで表されるものでもよい。診療データが、数値以外のテキストである場合には、たとえば後述する数値表示モードにおいて表形式として表示される。数値以外のテキストで表される診療データとしては、たとえば、検査の「有」、「無」を表す診療データや、検査結果が「良」であるか「悪」であるかを表す診療データなどがある。
【００３７】
診療情報取得部１１は、患者の識別情報に基づいて各サーバから収集された診療情報を一旦、診療情報記憶部１２に記憶するものである。診療情報記憶部１２は、ハードディスクなどのストレージデバイスから構成されるものである。
【００３８】
非表示判定期間長設定部１４は、診療データを診療科端末２０のモニタに時系列に表示する際における非表示判定期間長が設定されているものである。非表示判定期間長とは、診療データの表示期間のうちの一部の期間を非表示とするか否かを判定するための期間であり、診療データが非表示判定期間長以上存在しない期間がある場合に、診療データが存在しない期間の全部または一部の期間が非表示とされる。
【００３９】
本実施形態は、医師などのユーザによって種々の非表示判定期間長が設定可能に構成されたものである。非表示判定期間長は、ユーザが観察したい診療項目やユーザが同時に観察したい診療データの数や疾患の種類などによって変更されるものであり、このように種々の非表示判定期間長を設定可能にすることによって、ユーザが所望の診療データをモニタ上に同時に表示させることができる。
【００４０】
非表示判定期間長としては、たとえば1カ月や１週間などといった所定の期間が設定されるが、その具体例については、後で詳述する。なお、非表示判定期間長は、必ずしもユーザによって設定可能でなくてもよく、予め非表示判定期間長設定部１４に設定された初期値として保持するようにしてもよい。
【００４１】
判定部１３は、診療データが非表示判定期間長以上存在しない期間があるか否かを判定するものである。本実施形態においては、ユーザが、診療科端末２０の入力装置を用いて注目する診療項目（非表示判定期間長の判定対象の項目）を指定し、判定部１３は、その指定された診療項目の診療データが非表示判定期間長以上存在しない期間があるか否かを判定するものである。
【００４２】
表示制御部１５は、診療情報取得部１１から出力された診療データを含む診療情報に基づいて診療情報表示画面を生成し、その診療情報表示画面を診療科端末２０に出力して表示させるものである。
【００４３】
表示制御部１５は、診療データをグラフ表示するグラフ表示モードと、診療データを数値のテキスト（文字列）として表示させる数値表示モードとを切り替え可能なものである。ここでは、まず、グラフ表示モードにおける診療情報表示画面について説明する。図２は、グラフ表示モードにおける診療情報表示画面の一例を示すものである。
【００４４】
診療情報表示画面は、図２に示すように、基本情報表示欄Ｒ１と、診療期間表示欄Ｒ２と、投薬期間表示欄Ｒ３と、診療データ表示欄Ｒ４と、画像診療情報欄Ｒ５と、投薬リスト表示欄Ｒ６と、診療項目リスト表示欄Ｒ７とを備えている。
【００４５】
基本情報表示欄Ｒ１は、患者の識別情報（患者ＩＤ）、名前、年齢、性別、現病歴・既往歴などといった基本情報が表示される欄である。また、現病歴・既往歴については、図２に示すように、各疾患に対してチェックボックスが表示される。そして、このチェックボックスがチェックされることによって注目する疾患が指定され、その疾患に関する診療データや画像診療情報などが表示される。
【００４６】
診療期間表示欄Ｒ２は、患者の診療期間などを表示する欄であり、患者が検査や治療などの診療を受けた期間が横棒グラフで表示される。投薬期間表示欄Ｒ３は、患者に対して投薬や点滴が行われた期間を表示する欄であり、患者が投薬や点滴を受けた期間が横棒グラフで表示される。
【００４７】
診療データ表示欄Ｒ４は、時系列に取得された複数の診療項目の診療データが折れ線グラフで表示される欄である。診療データ表示欄Ｒ４の横軸は時間軸であり、縦軸は診療データの数値を示す軸である。そして、診療データ表示欄Ｒ４には、診療データを表示する数値範囲を変更するためのスクロールバーＢ１と、診療データの表示期間を変更するためのスクロールバーＢ２とが設けられている。
【００４８】
画像診療情報欄Ｒ５は、患者の画像診療情報を表示する欄である。具体的には、患者をＣＴ（Computed Tomography）装置やＭＲＩ（magnetic resonance imaging）装置や超音波撮影装置などで撮影した画像のサムネイル画像が表示される。このサムネイル画像がクリックなどされて選択された際には、サムネイル画像の元の原画像が別の表示画面で表示され、また、その原画像に関する読影レポートも表示される。
【００４９】
投薬リスト表示欄Ｒ６は、投薬期間表示欄Ｒ３に表示された各投薬期間において投薬や点滴された薬剤の種類がリスト表示される欄である。投薬リスト表示欄Ｒ６には、薬剤がリスト表示されるとともに、各薬剤に対してチェックボックスが表示される。そして、このチェックボックスがチェックされた薬剤の投薬期間が、投薬期間表示欄Ｒ３において強調表示される。具体的には、たとえばチェックボックスでチェックされた薬剤の投薬期間がカラー表示され、チェックされていない薬剤の投薬期間は目立たないように薄いグレーなどで表示される。
【００５０】
診療項目リスト表示欄Ｒ７は、診療データ表示欄Ｒ４に表示された診療データの診療項目がリスト表示される欄である。診療項目リスト表示欄Ｒ７には、診療項目がリスト表示されるとともに、その各診療項目に対して、強調表示チェックボックスＣＢ１と非表示対象項目チェックボックスＣＢ２（項目指定受付部に相当する）との２種類のチェックボックスが表示される。
【００５１】
強調表示チェックボックスＣＢ１がチェックされた際には、そのチェックされた診療項目の診療データが、診療データ表示欄Ｒ４において強調表示される。具体的には、たとえば強調表示チェックボックスＣＢ１でチェックされた診療項目の診療データがカラー表示され、チェックされていない診療項目の診療データは目立たないように薄いグレーなどで表示される。
【００５２】
非表示対象項目チェックボックスＣＢ２は、上述した非表示判定期間長の判定対象の診療項目の指定を受け付けるものである。非表示対象項目チェックボックスＣＢ２がチェックされた際には、そのチェックされた診療項目が、非表示判定期間長の判定対象の診療項目として指定され、判定部１３は、その指定された診療項目の診療データが非表示判定期間長以上存在しない期間があるか否かを判定するものである。
【００５３】
また、診療情報表示画面には、上述した非表示判定期間長を設定するためのドロップダウンリストＤＬ（非表示判定期間長指定受付部に相当する）が表示される。ユーザは、このドロップダウンリストＤＬ内に表示される種々の期間の中から所望の非表示判定期間長を選択して設定する。
【００５４】
そして、表示制御部１５は、上述した診療データ表示欄Ｒ４に診療データをグラフ表示する際、いずれかの診療項目の非表示対象項目チェックボックスＣＢ２にチェックが付されている場合には、判定部１３における判定結果に基づいて、そのチェックされた診療項目の診療データが非表示判定期間長以上存在しない期間がある場合、その診療データが存在しない期間の全部または一部の期間を非表示とするものである。
【００５５】
なお、非表示判定期間長の判定対象の診療項目は、一つに限らず、複数の診療項目を指定するようにしてもよい。その場合、その指定された複数の診療項目の診療データが非表示判定期間長以上存在しない期間がある場合に、その診療データが存在しない期間の全部または一部の期間が非表示にされる。また、非表示判定期間長の判定対象の診療項目として全ての診療項目が指定された場合には、全ての診療項目の診療データが非表示判定期間長以上存在しない期間がある場合に、その診療データが存在しない期間の全部または一部の期間が非表示にされる。なお、具体例については、後で詳述する。
【００５６】
診療科端末２０は、モニタとキーボードおよびマウスなどの入力装置とを備えたものである。診療科端末２０のモニタは、図２に示す診療情報表示画面を表示するものである。また、診療科端末２０のキーボードおよびマウスは、患者の識別情報の入力や、上述した非表示判定期間長の入力や、上述したチェックボックスの指定入力などを受け付けるものである。
【００５７】
電子カルテシステム３０は、複数の患者の電子カルテを管理するシステムである。電子カルテシステム３０は、電子カルテ保管サーバ３１を備えており、この電子カルテ保管サーバ３１には、複数の患者の電子カルテが患者の識別情報と紐付けされて保管されている。電子カルテシステム３０は、診療科端末２０において入力された患者の識別情報を取得し、その識別情報に紐付けされた電子カルテの情報を診療情報表示制御装置１０に出力するものである。電子カルテには、患者の基本情報や、投薬および点滴の薬剤の種類や量、投薬期間、現病歴・既往歴などの情報が含まれている。
【００５８】
検査部門システム４０は、複数の患者の検体検査データやバイタルなどの検査データを管理するシステムである。検査部門システム４０は、検査データ保管サーバ４１を備えており、この検査データ保管サーバ４１には、各患者の複数の項目の検査データが患者の識別情報と紐付けされて保管されている。検査部門システム４０は、診療科端末２０において入力された患者の識別情報を取得し、その識別情報に紐付けされた検査データを診療情報表示制御装置１０に出力するものである。なお、検査データは、一旦電子カルテに出力して、電子カルテで保管される形態もある。この場合は、電子カルテから検査データが診療情報表示制御装置１０に出力される。
【００５９】
画像診断システム５０は、複数の患者の画像診療情報を管理するシステムである。画像診断システム５０は、画像管理サーバ５１と、読影レポートサーバ５２とを備えている。画像管理サーバ５１には、各患者の放射線画像などが患者の識別情報と紐付けされて保管されている。また、読影レポートサーバ５２には、放射線画像などを観察して医師が作成した読影レポートが保管されており、この読影リポートは画像管理サーバ５１に保管された放射線画像などと紐付けされて保管されている。画像診断システム５０は、診療科端末２０において入力された患者の識別情報を取得し、その識別情報に紐付けされた放射線画像やその読影レポートを診療情報表示制御装置１０に出力するものである。
【００６０】
次に、本実施形態の診療情報表示システム１の作用について、図３に示すフローチャートを参照しながら説明する。なお、本実施形態の診療情報表示システム１は、上述した診療データ表示欄Ｒ４における診療データの表示方法に特徴を有するものであるため、以下、その点を中心に説明する。
【００６１】
まず、診療科端末２０において、ユーザによる指示入力によって診療情報表示制御装置１０にインストールされた診療データ表示制御プログラムが起動される（Ｓ１０）。
【００６２】
次に、診療科端末２０において、患者の識別情報が入力され、その患者の識別情報は、診療情報表示制御装置１０の診療情報取得部１１によって取得される（Ｓ１２）。
【００６３】
診療情報取得部１１は、入力された患者の識別情報に基づいて、検査部門システム４０の検査データ保管サーバ４１や電子カルテシステム３０の電子カルテ保管サーバ３１から、その患者の診療データを読み出して取得し、その取得した診療データを診療情報記憶部１２に一旦記憶する。
【００６４】
次いで、診療科端末２０において、表示する診療データの初期表示期間が設定入力され、その初期表示期間の情報は表示制御部１５に入力される（Ｓ１４）。表示制御部１５は、入力された初期表示期間の診療データを取得し、その診療データを診療データ表示欄Ｒ４にグラフ表示させる（Ｓ１６）。
【００６５】
ここで、具体的な表示例について説明する。図４は、初期表示期間として１月１日〜６月３０日が設定され、表示制御部１５が、その初期表示期間における体温、血圧（上）、血圧（下）、検査Ａ〜Ｃの診療データを取得してグラフ表示した例を示すものである。なお、図４に示すグラフの横軸は日付であり、縦軸は診療データの数値である。また、体温、血圧（上）および血圧（下）は、毎日取得される診療データであるが、図４のグラフにおいては、見易くするためにそのドット表示を図示省略している。また、検査Ａ〜Ｃの診療データは、所定の期間を空けて取得されるものであり、図４のグラフにおいては、その取得した診療データの値をドット表示している。すなわち、検査Ａ〜Ｃの診療データは、ドット表示されている日に取得されたものである。
【００６６】
そして、図４に示すようなグラフ表示において、ユーザが、たとえば検査Ａについて、初期表示期間よりも長い期間の診療データを効率よく一度に観察したいと考えた場合には、診療項目リスト表示欄Ｒ７の検査Ａの非表示対象項目チェックボックスＣＢ２にチェックが付され（Ｓ１８）、非表示判定期間長のドロップダウンリストＤＬにおいて非表示判定期間長が選択される（Ｓ２０）。ここでは、ユーザによって１ヶ月の非表示判定期間長が選択されて設定されたものとする。
【００６７】
検査Ａの指定情報と非表示判定期間長の情報は、判定部１３に出力され、判定部１３は、検査Ａの診療データが１ヶ月間以上存在しない期間があるか否かを判定する（Ｓ２２）。
【００６８】
そして、検査Ａの診療データが1ヶ月間存在しない期間が存在する場合には、その判定結果が表示制御部１５に出力され、表示制御部１５は、その診療データが存在しない期間を非表示にする（Ｓ２４）。具体的には、たとえば図４に示すグラフ表示では、３月と６月は検査Ａの診療データが1ヶ月間存在しない。したがって、その判定結果が表示制御部１５に出力され、表示制御部１５は、図５に示すように、３月と６月を非表示にする。そして、３月と６月を非表示にした結果、診療データ表示欄Ｒ４の横軸方向に空欄ができるので、表示制御部１５は、初期表示期間とは異なる７月と８月の全ての項目の診療データを取得し、表示期間を１月〜２月、４月〜５月、７月〜８月に変更して診療データをグラフ表示する。すなわち、表示制御部１５は、所定の期間を非表示とした場合には、非表示にした期間分だけさらに診療データを取得し、その診療データをグラフ表示する。
【００６９】
また、上述したように所定の期間を非表示とした場合、その非表示とした期間を識別可能なように指標を表示することが望ましい。たとえば、図５に示すグラフのように３月と６月とを非表示とした場合には、そのことが識別できるように２月と４月との境界線Ｌ１と５月と７月との境界線Ｌ２とをその他の軸などとは異なる色で識別可能に表示させることが望ましい。または、境界線Ｌ１と境界線Ｌ２の位置を示す矢印や文字などの指標を表示させるようにしてもよい。
【００７０】
なお、判定部１３が、検査Ａの診療データが１ヶ月間以上存在しない期間があるか否かを判定する際、その1ヶ月の開始日は予め設定することができるものとする。上述した例は、開始日を各月の初日とした場合であるが、これに限らず、たとえば指定された診療項目の診療データが存在しなくなった期間の最初の日を1ヶ月の開始日としてもよい。たとえば、図４に示すように、検査Ａの診療データが２月２０日まで存在し、２月２１日から存在しない場合には、２月２１日を1ヶ月の開始日としてもよい。また、同様に、検査Ａの診療データが５月３０日まで存在し、６月１日から存在しない場合には、６月１日を1ヶ月の開始日としてもよい。
【００７１】
また、表示制御部１５が非表示にする期間の開始日についても、必ずしも各月の初日でなくてもよい。たとえば、図４に示すグラフのように２月２１日から検査Ａの診療データが存在しない場合には２月２１日を開始日とし、２月２１日〜３月２１日までを非表示としてもよい。また、同様に、６月１日から検査Ａの診療データが存在しない場合には６月１日を開始日とし、６月１日〜７月１日までを非表示としてもよい。なお、このとき1ヶ月とは３０日とする。
【００７２】
また、非表示判定期間長と非表示にする期間とは必ずしも一致していなくてもよい。具体的には、判定部１３によって、診療データが非表示判定期間長以上存在しない期間があると判定された場合に、その非表示判定期間長の前または後の期間に診療データが存在しない場合には、その前または後の期間も非表示にするようにしてもよい。たとえば、図４に示すグラフのように検査Ａの診療データが１ヶ月間以上存在しない期間が３月である場合、３月の前後の期間に検査Ａの診療データが存在しない場合には、その前後の期間も非表示としてもよい。具体的には、図４に示すグラフの場合、検査Ａの診療データは２月２１日〜４月１５日までは存在しないので、図６に示すグラフのように、３月の前後の期間も含めた２月２１日〜４月１５日を非表示としてもよい。なお、ここでは非表示判定期間長の前後の期間を非表示としたが、前の期間のみまたは後の期間のみを非表示としてもよい。たとえば２月２１日〜３月３１日を非表示としてもよいし、３月１日〜４月１５日までを非表示としてもよい。
【００７３】
また、上述したように一部の期間を非表示とする際、図５または図６に示すように、非表示の期間の直前の診療データと非表示の期間内の診療データとを結ぶ線または非表示の期間の直後の診療データと非表示の期間内の診療データとを結ぶ線を残して表示することが望ましい。このようにグラフの線を残すことによって不連続なグラフとなり、一部の期間が非表示になっていることをユーザが把握することができる。なお、この場合、グラフから不連続を把握でき、非表示期間の位置を把握することができるので、境界線Ｌ１と境界線Ｌ２とはあってもなくてもよい。
【００７４】
また、上述したように非表示判定期間長は、ユーザが任意に選択して設定するようにしてもよいし、非表示判定期間長設定部１４に予め設定するようにしてもよい。この場合、ユーザは、非表示判定期間長の選択を行うことなく、非表示判定期間長の判定対象の診療項目を指定するだけでよい。
【００７５】
また、上記実施形態においては、非表示判定期間長の判定対象の診療項目をユーザが指定するようにしたが、ユーザの指定を受け付けることなく、デフォルトとして全ての診療項目を非表示判定期間長の判定対象の診療項目とするようにしてもよい。
【００７６】
以上、表示制御部１５が、診療データをグラフ表示するグラフ表示モードの場合について説明したが、次に、診療データを数値のテキストとして表示させる数値表示モードについて説明する。図７は、数値表示モードにおける診療情報表示画面の一例を示すものである。
【００７７】
数値表示モードにおける診療データ表示欄Ｒ４には、図７に示すように、診療データの数値のテキストが表示される。診療データ表示欄Ｒ４における縦方向に延びる各列は各日付に対応しており、横方向に延びる各行は各診療項目に対応している。また、数値表示モードにおける投薬期間表示欄Ｒ３には、投薬量や点滴量が数値のテキストとして表示される。投薬期間表示欄Ｒ３における縦方向に延びる各列は日付を表しており、横方向に延びる各行は投薬や点滴の薬剤の種類を表している。
【００７８】
また、数値表示モードにおいても、投薬リスト表示欄Ｒ６には、薬剤リストとチェックボックスとが表示される。そして、所定の薬剤のチェックボックスがチェックされた際には、その薬剤の投薬量の数値が示された行が、周囲と異なる色で表示されるなどして強調表示される。また、診療項目リスト表示欄Ｒ７には、グラフ表示モードと同様に、診療項目リストと強調表示チェックボックスＣＢ１と非表示対象項目チェックボックスＣＢ２とが表示される。強調表示チェックボックスＣＢ１がチェックされた際には、そのチェックされた診療項目の診療データの数値が示された行が、周囲と異なる色で表示されるなどして強調表示される。
【００７９】
数値表示モードにおける診療情報表示画面は、診療データや投薬量などをグラフではなく数値のテキスト(文字列)として表示する以外は、グラフ表示モードと同様である。そして、数値表示モードの場合においても、非表示判定期間長を設定し、診療データが非表示判定期間長以上存在しない期間があるか否かを判定し、そのような期間がある場合には、診療データが存在しない期間を非表示とすることができる。
【００８０】
ここで、具体的な表示例について説明する。図８は、初期表示期間として１月５日〜１月１７日が設定され、表示制御部１５が、その初期表示期間における体温、血圧（上）、血圧（下）、検査Ａ〜Ｃの診療データを取得してその数値をテキストとして示した例を示すものである。上述したように図８に示す表の各列は各日付に対応しており、各行は各診療項目に対応している。
【００８１】
そして、図８に示すような診療データの表示において、ユーザが、たとえば検査Ａについて、初期表示期間よりも長い期間の診療データを効率よく一度に観察したいと考えた場合には、診療項目リスト表示欄Ｒ７の検査Ａの非表示対象項目チェックボックスＣＢ２にチェックが付され、非表示判定期間長のドロップダウンリストＤＬにおいて非表示判定期間長が選択される。ここでは、ユーザによって１日の非表示判定期間長が選択されて設定されたものとする。
【００８２】
検査Ａの指定情報と非表示判定期間長の情報は、判定部１３に出力され、判定部１３は、検査Ａの診療データが１日以上存在しない期間があるか否かを判定する。
【００８３】
そして、検査Ａの診療データが１日以上存在しない期間が存在する場合には、その判定結果が表示制御部１５に出力され、表示制御部１５は、その診療データが存在しない期間を非表示にする。具体的には、たとえば図８に示す数値表示では、１月５日〜１月７日、１月９日〜１月１４日、１月１６日〜１月１７日は、検査Ａの診療データが１日以上存在しないことになる。
【００８４】
したがって、その判定結果が表示制御部１５に出力され、表示制御部１５は、図９に示すように、１月５日〜１月７日、１月９日〜１月１４日、１月１６日〜１月１７日を非表示とする。そして、１月５日〜１月７日、１月９日〜１月１４日、１月１６日〜１月１７日を非表示にした結果、診療データ表示欄Ｒ４の横方向に空欄ができるので、表示制御部１５は、初期表示期間とは異なる期間の全ての項目の診療データを取得し、検査Ａの診療データが存在する１月８日と１月１５日の診療データに対して、さらに非表示とした日数分の診療データを追加して表示させる。なお、このときも検査Ａの診療データが１日以上存在しない期間は非表示とされる。したがって、非表示とされた１１日分の検査Ａの診療データが追加して表示され、３ヶ月分の検査Ａのデータを観察することができる。また、検査Ａ〜Ｃが１つの検査オーダによって実施される検査である場合には、検査Ａを選択することによって、同一検査オーダにより実施された検査Ａ〜Ｃの診療データを同時に観察することができる。
【００８５】
図９に示すように検査Ａの診療データを中心とした表示にすることによって、ユーザは検査Ａの診療データを中心とした診断を効率よく行うことができる。
【００８６】
なお、上記説明では、非表示判定期間長を１日としたが、これに限らず、グラフ表示モードの場合と同様に、１週間や１ヶ月としてもよい。
【００８７】
また、グラフ表示モードと同様に、所定の期間を非表示とした場合、その非表示とした期間を識別可能なように指標を表示することが望ましい。たとえば、非表示とした列の境界をその他の線とは異なる色で識別可能に表示させてもよいし、またはその列の境界線の位置を示す矢印や文字などの指標を表示させるようにしてもよい。グラフのような結線の不連続性で非表示期間を判定できないため、数値表示モードでは、非表示とした境界を明確に識別することが特に重要である。
【００８８】
また、数値表示モードにおいても、グラフ表示モードと同様に、非表示判定期間長は、ユーザが任意に選択して設定するようにしてもよいし、非表示判定期間長設定部１４に予め設定するようにしてもよい。
【００８９】
また、数値表示モードにおいても、グラフ表示モードと同様に、非表示判定期間長の判定対象の診療項目の指定を受け付けることなく、デフォルトとして全ての診療項目を非表示判定期間長の判定対象の診療項目とするようにしてもよい。
【００９０】
また、比較的検査頻度の少ない診療項目を、非表示判定期間長の判定対象の診療項目として予め設定しておいてもよい。体温や血液などの比較的検査頻度の多い診療項目以外の診療項目である。この場合、非表示対象項目チェックボックスＣＢ２は、検査頻度が少ない診療項目の領域にだけ設けるようにしてもよいし、全ての診療項目について設けないようにしてもよい。これにより、簡便でかつ効率的に頻度の多い診療項目と頻度の少ない診療項目とを確認することができる。
【００９１】
また、上記実施形態においては、診療データの横軸を日付単位としたが、これに限らず、診療データに応じて時間単位としてもよいし、月単位としてもよい。そして、非表示判定期間長は、診療データの横軸の単位期間に応じて適宜設定されるものである。
【００９２】
また、上記実施形態においては、数値表示モードとグラフ表示モードとを切り替えて表示するようにしたが、これに限らず、同じ画面内に数値のテキストとグラフとの両方を同時に表示するようにしてもよい。この場合においても、非表示の判定は、上記実施形態と同様に行うことができる。
【００９３】
また、上記実施形態においては、少なくとも非表示判定期間長が非表示とされる例を記載したが、非表示判定期間長とは別に実際の非表示期間を設定値として設け、非表示判定期間長よりも短い期間を実際の非表示期間として設定し、その期間だけ非表示とするようにしてもよい。例えば６月１日〜６月３０日と、８月１日〜８月３１日に検査データがあり、非表示判定期間長が３１日と設定されていた場合、７月の部分が非表示と判定されるが、実際の非表示期間が２０日と設定されていた場合には、７月６日〜７月２５日までが非表示となる。こうすることで６月３０日の検査データと８月１日の検査データの間に１１日分の空白期間が表示され、非表示期間が明確に視認しやすくなる。
【符号の説明】
【００９４】
１     診療情報表示システム
１０   診療情報表示制御装置
１１   診療情報取得部
１２   診療情報記憶部
１３   判定部
１４   非表示判定期間長設定部
１５   表示制御部
２０   診療科端末
３０   電子カルテシステム
４０   検査部門システム
５０   画像診断システム
【図１】
0005930407.tif 000002
【図３】
0005930407.tif 000003
【図４】
0005930407.tif 000004
【図５】
0005930407.tif 000005
【図６】
0005930407.tif 000006
【図７】
0005930407.tif 000007
【図８】
0005930407.tif 000008
【図９】
0005930407.tif 000009
【図２】
0005930407.tif 000010